【事件の表示】
　特願２００８−１７５９４９「用紙排出装置および画像形成装置」拒絶査定不服審判事件〔平成２２年　１月２１日出願公開、特開２０１０−　１３２４９、請求項の数（６）〕について、次のとおり審決する。
【結　論】
　原査定を取り消す。
　本願の発明は、特許すべきものとする。
【理　由】
第１　手続の経緯
　本願は、平成２０年７月４日の出願であって、平成２５年１月３０日付けで拒絶査定がされ、これに対し、平成２５年４月２５日に拒絶査定不服審判の請求がされ、同時に手続補正（以下、「本件補正」という。）がされたものである。
　そして、当審において、平成２５年８月２０日付けで審尋を行ったところ、審判請求人は平成２５年１０月１６日に回答書を提出した。
　
第２　本件補正の適否
１．補正の内容
　本件補正は、特許請求の範囲、明細書を補正するものであり、請求項１についてみると、以下のとおりである。
　
【補正前】（平成２４年７月４日付け補正）
「排紙のために用紙が搬送される排紙搬送路と、
　前記排紙搬送路に沿って並設された複数の排紙トレイと、
　前記各排紙トレイに対応して前記排紙搬送路中に設けられて搬送中の用紙を遣り過ごす退避姿勢と搬送中の用紙を排紙トレイへ分岐させる分岐姿勢との間で姿勢変更が可能な複数の切り換えガイドと、
　前記切り換えガイドを、用紙が通過するように退避する退避姿勢と、用紙を前記排紙トレイへ分岐させる分岐姿勢との間で姿勢を切り換える切り換え手段と、
　最下段の前記排紙トレイのさらに下方位置に配置され、前記複数の排紙トレイのいずれにも排出されない用紙を排出するための汎用トレイと、
　前記汎用トレイと前記排紙トレイとの間で用紙の排出先を切り換えるべく姿勢変更するガイドプレートと、を備え、
　前記切り換え手段は、
　　前記排紙搬送路に沿って一方向に周回することにより前記切り換えガイドの姿勢変更の用に供される無端ベルトと、
　　前記複数の切り換えガイドにそれぞれ連結され、前記切り換えガイドを前記退避姿勢から前記分岐姿勢へ姿勢変更させる複数の係合部と、
　　前記無端ベルトから前記係合部と係合し得る方向に向けて突設された突起と、
　　前記無端ベルトを周回移動させる駆動手段と、
　　前記駆動手段から駆動力が与えられて前記無端ベルトを周回駆動させる駆動プーリを含み、前記無端ベルトが掛け回される一対の張設プーリと、
　　前記一対の張設プーリの間で前記無端ベルトの内周側に配置され、前記突起が前記係合部と係合する際に前記無端ベルトが押圧され、前記突起が前記係合部から逃げることを防止する離間防止プーリと、
を備え、
　前記突起が前記複数の係合部のうちの一つの係合部と係合した状態で前記無端ベルトが停止されることで、前記複数の切り換えガイドのうちの一つの切り換えガイドが前記分岐姿勢に姿勢設定され、
　前記ガイドプレートは、前記切り換え手段によって姿勢変更されることを特徴とする用紙排出装置。」
　
【補正後】
「排紙のために用紙が搬送される排紙搬送路と、
　前記排紙搬送路に沿って並設された複数の排紙トレイと、
　前記各排紙トレイに対応して前記排紙搬送路中に設けられて搬送中の用紙を遣り過ごす退避姿勢と搬送中の用紙を排紙トレイへ分岐させる分岐姿勢との間で姿勢変更が可能な複数の切り換えガイドと、
　前記切り換えガイドを、用紙が通過するように退避する退避姿勢と、用紙を前記排紙トレイへ分岐させる分岐姿勢との間で姿勢を切り換える切り換え手段と、
　最下段の前記排紙トレイのさらに下方位置に配置され、前記複数の排紙トレイのいずれにも排出されない用紙を排出するための汎用トレイと、
　前記汎用トレイと前記排紙トレイとの間で用紙の排出先を切り換えるべく姿勢変更するガイドプレートと、を備え、
　前記切り換え手段は、
　　前記排紙搬送路に沿って一方向に周回することにより前記切り換えガイドの姿勢変更の用に供される無端ベルトと、
　　前記複数の切り換えガイドにそれぞれ連結され、前記切り換えガイドを前記退避姿勢から前記分岐姿勢へ姿勢変更させる複数の係合部と、
　　前記無端ベルトから前記係合部と係合し得る方向に向けて突設された突起と、
　　前記無端ベルトを周回移動させる駆動手段と、
　　前記駆動手段から駆動力が与えられて前記無端ベルトを周回駆動させる駆動プーリを含み、前記無端ベルトが掛け回される一対の張設プーリと、
　　前記一対の張設プーリの間で前記無端ベルトの内周側に
回転可能に
を備え、
　
前記係合部は、回転支点と、前記無端ベルトの周回方向に沿って前記無端ベルトに近づくように延設され、前記回転支点回りに回動可能とされ、前記突起が当接するプレートと、を備え、
　
前記突起は、前記無端ベルトから前記無端ベルトの周回方向に沿って先上がりに延設される傾斜面を備え、
　前記突起が前記複数の係合部のうちの一つの係合部と係合した状態で前記無端ベルトが停止されることで、前記複数の切り換えガイドのうちの一つの切り換えガイドが前記分岐姿勢に姿勢設定され、
　前記ガイドプレートは、前記切り換え手段によって姿勢変更されることを特徴とする用紙排出装置。」
　
２．補正の適否
　本件補正は、請求項１に記載した発明を特定するために必要な事項である「離間防止プーリ」について「回転可能に」との限定を付加し、「係合部」について「回転支点と、前記無端ベルトの周回方向に沿って前記無端ベルトに近づくように延設され、前記回転支点回りに回動可能とされ、前記突起が当接するプレートと、を備え」との限定を付加し、「突起」について「無端ベルトから前記無端ベルトの周回方向に沿って先上がりに延設される傾斜面を備え」との限定を付加するものである。
　本件補正は、補正前の請求項１に記載された発明と補正後の請求項１に記載された発明の産業上の利用分野及び解決しようとする課題が同一であるから、請求人が審判請求理由の（２）で主張するとおり、特許法第１７条の２第５項第２号の特許請求の範囲の減縮を目的とするものに該当する。
　また、特許法第１７条の２第３項、第４項に違反するところはない。
　そこで、本件補正後の前記請求項１に記載された発明（以下、「補正発明」という。）が特許法第１７条の２第６項において準用する同法第１２６条第７項の規定に適合するか（特許出願の際独立して特許を受けることができるものであるか）について以下に検討する。
　
（１）刊行物の記載事項
　原査定の拒絶の理由に引用された特開２００５−３０６５４８号公報（以下、「刊行物」という。）には、以下の記載がある。
　
「【０００６】
　そこで本発明の目的は、シートの積載等の処理を選択的に行うシート積載装置を備えた画像形成装置において、ビントレイへ積載するための搬送パスを切り替える切り替えフラッパの駆動手段を新たに提案し、駆動部品の削減によるローコストシート積載装置を実現することにある。
【課題を解決するための手段】
【０００７】
　上記目的を達成するための本発明の代表的な構成は、画像形成装置から排出されたシートを積載するための複数のビントレイと、画像形成装置から排出されたシートを搬送する為の搬送手段と、前記搬送手段を駆動する為の第１の駆動手段と、前記搬送手段により搬送されるシート搬送方向を切り替える為の少なくとも１つ以上の搬送方向切り替え手段と、前記搬送方向切り替え手段のうち少なくとも１つの搬送方向切り替え手段を選択し移動させる切り替え方向選択手段を備えたシート積載装置に於いて、
　前記切り替え部材選択手段は、第２の駆動手段により駆動され、前記第２の駆動手段の駆動量により、前記の搬送方向切り替え手段を有するようにしたものである。」
　
「【００１７】
　シート積載装置２００は、第１搬送ローラ２１１、第２搬送ローラ２１２、第３搬送ローラ２１３、第１排出ローラ２２１、第２排出ローラ２２２、第３排出ローラ２２３、反転切り替えマイラー２８１、第１切り替えフラッパ２３２、第２切り替えフラッパ２３３、第１ビントレイ２４１、第２ビントレイ２４２、第３ビントレイ２４３、シートを検出するための入口センサ２５１、反転センサ２５２、シートを反転させるための反転パス２６１、フラッパ駆動装置２７０、モーターＭ２（不図示）、モーターＭ３（不図示）を備えている。
【００１８】
　モーターＭ２は反転ローラ２０１を駆動する。モーターＭ２は、第１搬送ローラ２１１、第２搬送ローラ２１２、第３搬送ローラ２１３、第１排出ローラ２２１、第２排出ローラ２２２、第３排出ローラ２２３を駆動する。またモーターＭ３は切り替えフラッパ駆動装置２７０を駆動する。
【００１９】
　図２〜６は画像形成装置１００上部に配置されたシート積載装置２００の断面図である。
【００２０】
　・・・。
【００２１】
　・・・。
【００２２】
　・・・。
【００２３】
　シートが反転パス２６１に搬送され、シート後端が反転センサ２５２をオフすると（図４）、反転ローラ２０１を回転を停止させる。このとき、反転切り替えマイラー２８１の作用によりシートは上方に切り替えられ、第１搬送ローラ２１１へと向かう。
【００２４】
　ここで、積載するビントレイの選択は、あらかじめ操作者により排出トレイが選択されることにより決定されるものであり、ビントレイの選択はジョブ毎に装置の操作部または本装置に接続されたパソコン等のホストコンピュータから行っても良いが、ジョブの種類や内容によりあらかじめ設定しておいても良い。
【００２５】
　第２切り替えフラッパ２３３を切り替えた後、シートが矢印ｃ方向に搬送されるように反転ローラ２０１を回転させ、また、シートが矢印ｄ方向、ｅ方向に搬送され、第２ビントレイ２４２に積載されるように、第１搬送ローラ２１１、第１排出ローラ対２２１を回転する。
【００２６】
　上記処理を行うことで、図５、図６に示すように、シートは第２ビントレイ２４２に積載される。」
　
「【００３９】
　（第３の実施例）
　第１、第２の実施例では切り替えフラッパ駆動装置２７０は一本の軸であり、それが回転して順次フラッパを選択する例を示したが本特許はこの形態に限るものではない。図１１に第３の実施例を示す。
【００４０】
　図は前述の図８に対応した状態で、ビントレイ２４４が選択され、フラッパ２３５が偏向している状態である。
【００４１】
　本実施例ではフラッパ駆動装置としてプーリー２９１，２９２とその回りを周回するベルト２９３、またベルト２９３と一体成型された突起２９４が構成されている。本実施例においてはプーリー２９２は駆動モーター（不図示）により駆動され、その動作にともない、ベルト２９３、突起２９４が周回移動を行っている。この突起２９４は順次、フラッパ２３２〜２３５を押し上げる。本構成においても第１、第２の実施例と同様に、所定の回転位置でモーターを停止させることにより、任意のフラッパを偏向させることができる。図ではフラッパ２３５と突起２９４が係合する位置でモーターと停止させることによりフラッパ２３５を偏向させ、ビン２４４を選択している。このように駆動モーターの駆動量によりフラッパの選択を行うことができる。」
　
　図１１によれば、
　シート排出のためにシートが搬送されるシート搬送路と、
　シート搬送路に沿って並設された複数のビントレイ２４１〜２４５と、
　各ビントレイ２４１〜２４５に対応してシート搬送路中に設けられて搬送中のシートを遣り過ごす退避姿勢と搬送中のシートをビントレイ２４１〜２４５へ分岐させる分岐姿勢との間で姿勢変更が可能な複数のフラッパ２３２〜２３５と、
　複数のフラッパ２３２〜２３５にそれぞれ連結され、前記フラッパ２３２〜２３５を退避姿勢から分岐姿勢へ姿勢変更させる複数の係合部と、
　前記係合部は、回転支点と、ベルト２９３の周回方向に沿って前記ベルト２９３に近づくように延設され、前記回転支点回りに回動可能とされ、突起２９４が当接するプレートと、を備えること、
が看取できる。
　
　そうすると、刊行物には、以下の発明（以下、「刊行物発明」という。）が記載されている。
　
「シート排出のためにシートが搬送されるシート搬送路と、
　前記シート搬送路に沿って並設された複数のビントレイ２４１〜２４５と、
　前記各ビントレイ２４１〜２４５に対応してシート搬送路中に設けられて搬送中のシートを遣り過ごす退避姿勢と搬送中のシートをビントレイ２４１〜２４５へ分岐させる分岐姿勢との間で姿勢変更が可能な複数のフラッパ２３２〜２３５と、
　前記フラッパ２３２〜２３５を、シートが通過するように退避する退避姿勢と、シートを前記ビントレイ２４１〜２４５へ分岐させる分岐姿勢との間で姿勢を切り換える切り換え手段と、
　前記切り換え手段は、
　　前記排紙搬送路に沿って一方向に周回することにより前記フラッパ２３２〜２３５の姿勢変更の用に供されるベルト２９３と、
　　前記複数のフラッパ２３２〜２３５にそれぞれ連結され、前記フラッパ２３２〜２３５を退避姿勢から分岐姿勢へ姿勢変更させる複数の係合部と、
　　前記ベルト２９３に一体成形され、前記フラッパ２３２〜２３５を押し上げるための突起２９４と、
　　前記ベルト２９３を周回移動させる駆動モーターと、
　　前記駆動モーターから駆動力が与えられて前記ベルト２９３を周回駆動させる駆動プーリを含み、前記ベルトが掛け回される一対のプーリー２９１，２９２と、
　　を備え、
　前記係合部は、回転支点と、前記無端ベルトの周回方向に沿って前記無端ベルトに近づくように延設され、前記回転支点回りに回動可能とされ、前記突起２９４が当接するプレートと、を備え、　　
　前記突起２９４が前記複数の係合部のうちの一つの係合部と係合した状態で前記ベルト２９３が停止されることで、前記複数のフラッパ２３２〜２３５のうちの一つのフラッパ２３２〜２３５が前記分岐姿勢に姿勢設定される
シート積載装置。」
　
（２）対比
　補正発明と刊行物発明とを対比する。
　刊行物発明の「シート排出」は補正発明の「排紙」に相当し、同様に、「シート」は「用紙」に、「シート搬送路」は「排紙搬送路」に、「ビントレイ２４１〜２４５」は「排紙トレイ」に、「フラッパ２３２〜２３５」は「切り換えガイド」に、「ベルト２９３」は「無端ベルト」に、「ベルト２９３に一体成形され、前記フラッパ２３２〜２３５を押し上げるための突起２９４」は「無端ベルトから前記係合部と係合し得る方向に向けて突設された突起」に、「駆動モーター」は「駆動手段」に、「プーリー２９１，２９２」は「張設プーリ」に、「シート積載装置」は「用紙排出装置」に、それぞれ相当する。
　
　したがって、補正発明と刊行物発明とは、以下の点で一致する。
「排紙のために用紙が搬送される排紙搬送路と、
　前記排紙搬送路に沿って並設された複数の排紙トレイと、
　前記各排紙トレイに対応して前記排紙搬送路中に設けられて搬送中の用紙を遣り過ごす退避姿勢と搬送中の用紙を排紙トレイへ分岐させる分岐姿勢との間で姿勢変更が可能な複数の切り換えガイドと、
　前記切り換えガイドを、用紙が通過するように退避する退避姿勢と、用紙を前記排紙トレイへ分岐させる分岐姿勢との間で姿勢を切り換える切り換え手段と、
　前記切り換え手段は、
　　前記排紙搬送路に沿って一方向に周回することにより前記切り換えガイドの姿勢変更の用に供される無端ベルトと、
　　前記複数の切り換えガイドにそれぞれ連結され、前記切り換えガイドを前記退避姿勢から前記分岐姿勢へ姿勢変更させる複数の係合部と、
　　前記無端ベルトから前記係合部と係合し得る方向に向けて突設された突起と、
　　前記無端ベルトを周回移動させる駆動手段と、
　　前記駆動手段から駆動力が与えられて前記無端ベルトを周回駆動させる駆動プーリを含み、前記無端ベルトが掛け回される一対の張設プーリと、
を備え、
　前記係合部は、回転支点と、前記無端ベルトの周回方向に沿って前記無端ベルトに近づくように延設され、前記回転支点回りに回動可能とされ、前記突起が当接するプレートと、を備え、　　
　前記突起が前記複数の係合部のうちの一つの係合部と係合した状態で前記無端ベルトが停止されることで、前記複数の切り換えガイドのうちの一つの切り換えガイドが前記分岐姿勢に姿勢設定される、
用紙排出装置。」
　
　他方、補正発明と刊行物発明は、以下の点で相違する。
　相違点１：補正発明は「最下段の前記排紙トレイのさらに下方位置に配置され、前記複数の排紙トレイのいずれにも排出されない用紙を排出するための汎用トレイと、前記汎用トレイと前記排紙トレイとの間で用紙の排出先を切り換えるべく姿勢変更するガイドプレートと、を備え」、「前記ガイドプレートは、前記切り換え手段によって姿勢変更される」ものであるが、刊行物発明は「汎用トレイ」を有しない点。
　相違点２：補正発明は「一対の張設プーリの間で前記無端ベルトの内周側に回転可能に配置され、前記突起が前記係合部と係合する際に前記無端ベルトが押圧され、前記突起が前記係合部から逃げることを防止する離間防止プーリ」を有するが、刊行物発明は「離間防止プーリ」を有しない点。
　相違点３：突起について、補正発明は「無端ベルトから前記無端ベルトの周回方向に沿って先上がりに延設される傾斜面」を備えるが、刊行物発明は「傾斜面」を有しない点。
　
（３）判断
　事案に鑑み、まず相違点２について検討する。
　相違点２の構成に係る補正発明の「離間防止プーリ」は、これにより「干渉突起５３が操作部材５４と干渉する際、操作部材５４に相対的に押圧されて左方へ逃げるのを防止する」（段落００７５）、すなわち反力を受ける効果を奏する。
　離間防止プーリにより反力を受ける点について、上記刊行物、審尋で引用した刊行物には、記載も示唆もなく、また、技術常識であるとも認められないから、相違点２の構成が、容易であるとはいえない。
　
　したがって、他の相違点について、検討するまでもなく、補正発明は、刊行物発明に基いて、当業者が容易に発明をすることができたとはいえない。
　よって、本件補正は、特許法第１７条の２第６項において準用する同法第１２６条第７項の規定に適合する。
　
３．むすび
　本件補正は、特許法第１７条の２第３項ないし第６項の規定に適合する。
　
第３　本願発明
　本件補正は上記のとおり、特許法第１７条の２第３項ないし第６項の規定に適合するから、本願の請求項１ないし６に係る発明は、本件補正により補正された特許請求の範囲の請求項１ないし６に記載された事項により特定されるとおりのものである。
　そして、本願については、原査定の拒絶理由を検討してもその理由によって拒絶すべきものとすることはできない。 
　また、他に本願を拒絶すべき理由を発見しない。 
　よって、結論のとおり審決する。